(57)【要約】【課題】必要以上に階高を高くすることなく、施工コストを低減できると共に、避難者が安全に避難できる構造物を提供すること。【解決手段】建物１は、積層して設けられた複数のフロア１１〜１５と、鉛直方向に延びる階段室２０と、この階段室２０に重ねて設けられた一対の折り返し階段３１Ａ、３１ＢからなるＸ階段３０と、を有する。フロア１１〜１５のうちフロア１１〜１４は、Ｘ階段３０のいずれの踊場Ｓに対しても異なる高さに位置する特定フロアである。Ｘ階段３０の踊場Ｓのうち特定フロア１１〜１４に最も近い高さに位置するものを特定踊場とすると、踊場Ｓ１、Ｓ３、Ｓ４、Ｓ６は、特定踊場となる。建物１は、フロア１１〜１４と踊場Ｓ１、Ｓ３、Ｓ４、Ｓ６との間に設けられてフロア１１〜１４と踊場Ｓ１、Ｓ３、Ｓ４、Ｓ６との段差を調整する段差調整部４１〜４４をさらに備える。【選択図】図１
2011084955.tif 000002
【特許請求の範囲】
【請求項１】
積層して設けられた複数のフロアと、鉛直方向に延びる階段室と、当該階段室内に重ねて設けられた一対の折り返し階段からなるＸ階段と、を有する構造物であって、
前記複数のフロアのうち少なくとも１つは、前記Ｘ階段のいずれの踊場に対しても異なる高さに位置する特定フロアであり、
前記Ｘ階段の踊場のうち前記特定フロアに最も近い高さに位置するものを特定踊場とすると、
前記特定フロアと前記特定踊場との間に設けられて前記特定フロアと前記特定踊場との段差を調整する段差調整部をさらに備えることを特徴とする構造物。
【請求項２】
請求項１に記載の構造物において、
前記段差調整部は、略水平な床部と、
当該床部に接続された階段部と、を備え、
前記階段室の防火扉は、前記床部上で開閉することを特徴とする構造物。
【発明の詳細な説明】
【技術分野】
【０００１】
本発明は、構造物に関する。詳しくは、Ｘ階段を有する構造物に関する。
【背景技術】
【０００２】
従来より、劇場、映画館、公会堂、集会場、店舗、病院、ホテルなどの用途に用いられかつ所定値以上の床面積を有する建物については、建築基準法施行令第１２１条により、各フロアから避難階に至る２つ以上の直通階段を設ける必要がある。
しかしながら、建物に２つ以上の直通階段を設けると、建物の床面積のうち階段の占める割合が高くなり、建物本来の用途に利用される部分（収益面積）の割合が減少してしまう、という問題があった。
【０００３】
そこで、１つの階段室に２つの折り返し階段を重ねて設けたＸ階段が知られている（特許文献１参照）。このＸ階段によれば、階段室の空間を最大限に利用して、床面積のうち階段の占める割合を抑制できるから、収益面積を大きく確保できる。
【先行技術文献】
【特許文献】
【０００４】
【特許文献１】特開平６−９３７４２号公報
【発明の概要】
【発明が解決しようとする課題】
【０００５】
しかしながら、上述のＸ階段では、通行者の円滑な通行を確保するため、踊場の階高を少なくとも２．２ｍ程度とする必要がある。そして、各フロアの高さをこの直通階段の踊場の高さに合わせると、各フロアの階高は、踊場の階高である２．２ｍの倍数となり、例えば、４．４ｍ程度となる。
よって、フロアの階高を４．４ｍより低くしても建物の使用に影響がないにもかかわらず、実際には、Ｘ階段の踊場の階高に合わせて、フロアの階高を４．４ｍとしていた。その結果、建物が必要以上に高くなってしまい、日影規制および斜線制限に従って建物の一部の形状を変更する必要が生じたり、材料費や施工手間が増えたりして、施工コストが上昇する、という問題があった。また、図５に示すように、Ｘ階段１０１内を避難者が通行している状態で、フロアからの避難者がＸ階段内に進入しようとしても、扉１０２を階段内に向かって開くことができず、避難者を安全に避難することが困難となる。
【０００６】
本発明は、必要以上に階高を高くすることなく、施工コストを低減できると共に、避難者が安全に避難できる構造物を提供することを目的とする。
【課題を解決するための手段】
【０００７】
請求項１に記載の構造物は、積層して設けられた複数のフロアと、鉛直方向に延びる階段室と、当該階段室に重ねて設けられた一対の折り返し階段からなるＸ階段と、を有する構造物であって、前記複数のフロアのうち少なくとも１つは、前記Ｘ階段のいずれの踊場に対しても異なる高さに位置する特定フロアであり、前記Ｘ階段の踊場のうち前記特定フロアに最も近い高さに位置するものを特定踊場とすると、前記特定フロアと前記特定踊場との間に設けられて前記特定フロアと前記特定踊場との段差を調整する段差調整部をさらに備えることを特徴とする。
【０００８】
この発明によれば、特定フロアと特定踊場との間に、特定フロアと特定踊場との段差を調整する段差調整部を設けた。よって、フロアの高さ位置とＸ階段の踊場の高さ位置とが異なって段差が生じても、段差調整部により、フロアと踊場との間の通行が可能となる。したがって、Ｘ階段の踊場の高さ位置に影響を受けることなく、フロアの高さ位置を設定できる。その結果、フロアの階高をフロアの利用に支障がない範囲で低く設定して、建物の高さが高くなるのを抑制できるので、必要以上に階高を高くすることなく、施工コストを低減できる。また、段差調整部に扉を設けることにより、特定フロアからの避難者が扉を開いてＸ階段内に進入しようとしても、この扉の開閉は階段内の避難者の通行に影響を及ぼさない。よって、避難者が安全に避難できる。
【０００９】
請求項２に記載の構造物は、請求項１に記載の構造物において、前記段差調整部は、略水平な床部と、当該床部に接続された階段部と、を備え、前記階段室の防火扉は、前記床部上で開閉することを特徴とする。
【００１０】
地震や火災などの緊急時では、特定フロアからの避難者は、防火扉を開けてＸ階段に向かうことになる。この場合、既に多くの避難者がＸ階段を下りている状況であると考えられる。したがって、特定フロアからの避難者が防火扉を開けようとすると、防火扉がＸ階段の特定踊場を通行している避難者に当たってしまい、防火扉を開けられないおそれがある。
そこで、この発明によれば、段差調整部に略水平な床部を設け、階段室の防火扉を床部上で開閉させた。よって、特定フロアからの避難者が防火扉を開けようとしても、防火扉が特定踊場を通行している避難者に干渉しないので、特定フロアからの避難者は、防火扉を容易に開いて円滑に避難できる。
【発明の効果】
【００１１】
本発明によれば、特定フロアと特定踊場との間に、特定フロアと特定踊場との段差を調整する段差調整部を設けた。よって、フロアの高さ位置とＸ階段の踊場の高さ位置とが異なって段差が生じても、段差調整部により、フロアと踊場との間の通行が可能となる。したがって、Ｘ階段の踊場の高さ位置に影響を受けることなく、フロアの高さ位置を設定できる。その結果、フロアの階高をフロアの利用に支障がない範囲で低く設定して、建物の高さが高くなるのを抑制できるので、施工コストを低減できる。
【図面の簡単な説明】
【００１２】
【図１】本発明の第１実施形態に係る構造物の部分縦断面図である。
【図２】前記実施形態に係る構造物の階段室の一部破断平面図である。
【図３】本発明の第２実施形態に係る構造物の階段室の一部破断平面図である。
【図４】本発明の第３実施形態に係る構造物の階段室の一部破断平面図である。
【図５】本発明の従来例に係る構造物の階段室の一部破断平面図である。
【発明を実施するための形態】
【００１３】
以下、本発明の各実施形態について、図面を参照しながら説明する。なお、以下の実施形態の説明にあたって、同一構成要件については同一符号を付し、その説明を省略もしくは簡略化する。
〔第１実施形態〕
図１は、本発明の第１実施形態に係る構造物としての建物１の部分縦断面図である。
建物１は、積層して設けられた複数のフロア１１〜１５と、鉛直方向に延びる階段室２０と、この階段室２０内に設けられたＸ階段３０と、階段室２０内に設けられてフロア１１〜１５とＸ階段３０とを接続する段差調整部４１〜４４と、を有する。
【００１４】
Ｘ階段３０は、一対の折り返し階段３１Ａ、３１Ｂからなる。したがって、このＸ階段３０の踊場Ｓは、同じ高さに一対ずつ設けられる。踊場Ｓの階高は、２２００ｍｍとなっている。これらＸ階段３０の踊場Ｓのうち、図１中最も下に位置するものから順に、踊場Ｓ１、Ｓ２、Ｓ３、Ｓ４、Ｓ５、Ｓ６、Ｓ７、Ｓ８とする。
【００１５】
フロア１１〜１５は、ｎ（ｎは自然数）階フロア１１、（ｎ＋１）階フロア１２、（ｎ＋２）階フロア１３、（ｎ＋３）階フロア１４、（ｎ＋４）階フロア１５で構成される。これらフロア１１〜１５の階高は、４０００ｍｍである。
このうち、フロア１１〜１４は、Ｘ階段３０のいずれの踊場Ｓ１〜Ｓ８に対しても異なる高さに位置する特定フロアである。
【００１６】
Ｘ階段３０の踊場Ｓ１〜Ｓ８のうちフロア１１〜１４に最も近い高さに位置するものを特定踊場とする。すると、フロア１１の特定踊場は、踊場Ｓ１となり、フロア１２の特定踊場は、踊場Ｓ３となり、フロア１３の特定踊場は、踊場Ｓ４となり、フロア１４の特定踊場は、踊場Ｓ６となる。
【００１７】
段差調整部４１〜４４は、フロア１１と踊場Ｓ１との間に設けられてフロア１１と踊場Ｓ１との６００ｍｍの段差を調整する一対の段差調整部４１と、フロア１２と踊場Ｓ３との間に設けられてフロア１２と踊場Ｓ３との１０００ｍｍの段差を調整する一対の段差調整部４２と、フロア１３と踊場Ｓ４との間に設けられてフロア１３と踊場Ｓ４との８００ｍｍの段差を調整する一対の段差調整部４３と、フロア１４と踊場Ｓ６との間に設けられてフロア１４と踊場Ｓ６との４００ｍｍの段差を調整する一対の段差調整部４４と、で構成される。
【００１８】
図２は、建物１の（ｎ＋２）階の階段室の一部破断平面図である。以下、（ｎ＋２）階の構造および段差調整部４３について説明するが、ｎ階、（ｎ＋１）階、（ｎ＋３）階の構造および段差調整部４１、４２、４４についても、同様の構成である。
【００１９】
建物１の階段室２０は、４つの耐火壁２１、２２、２３、２４で囲まれて、図２中水平方向に延びる略長方形である。耐火壁２１は、建物１のフロア１３の外壁２と面一となっており、これにより、階段室２０は、外壁２の内側に設けられている。
また、この階段室２０の図２中下側中央には、耐火壁２５、２６、２７が設けられており、これら耐火壁２５〜２７と耐火壁２３で囲まれた空間は、シャフト２８となっている。さらに、耐火壁２３のシャフト２８を挟んで両端側でかつフロア１３の高さ位置には、一対の防火扉２９が設けられている。
なお、シャフト２８は、空調設備、給排水、電気設備のシャフトや、エレベータシャフトとして利用可能である。
【００２０】
Ｘ階段３０は、階段室２０の図２中上側に配置され、Ｘ階段３０の踊場Ｓ４は、階段室２０の長手方向両端側に配置される。
また、一対の段差調整部４３は、階段室２０の図２中下側にシャフト２８を挟んで配置され、階段室２０の短手方向つまり図２中上下方向に延びている。
【００２１】
各段差調整部４３は、防火扉２９から図２中上方に延びる床部５０と、この床部５０から図２中上方に延びて踊場Ｓ４の図２中下端面に至る階段部５１と、を備える。
床部５０は、フロア１３に面一で略水平であり、これにより、防火扉２９は、床部５０上で開閉可能となっている。
【００２２】
本実施形態によれば、以下のような効果がある。
（１）フロア１１〜１４と踊場Ｓ１、Ｓ３、Ｓ４、Ｓ６との間に、フロア１１〜１４と踊場Ｓ１、Ｓ３、Ｓ４、Ｓ６との段差を調整する段差調整部４１〜４４を設けた。よって、フロア１１〜１４の高さ位置とＸ階段の踊場Ｓ１、Ｓ３、Ｓ４、Ｓ６の高さ位置とが異なって段差が生じても、この段差調整部４１〜４４により、フロア１１〜１４と踊場Ｓ１、Ｓ３、Ｓ４、Ｓ６との間の通行が可能となる。したがって、Ｘ階段の踊場Ｓの高さ位置に影響を受けることなく、フロア１１〜１５の高さ位置を設定できる。その結果、フロア１１〜１５の階高をフロア１１〜１５の利用に支障がない範囲で低く設定して、建物１の高さが高くなるのを抑制できるので、必要以上に階高を高くすることなく、施工コストを低減できる。
【００２３】
（２）フロア１３に面一かつ略水平な床部５０を段差調整部４３に設け、階段室２０の防火扉２９を床部５０上で開閉させた。よって、フロア１３からの避難者が防火扉２９を開けようとしても、防火扉２９が踊場Ｓ４を通行する避難者に干渉しないので、フロア１３からの避難者は、防火扉２９Ｓを容易に開いて円滑に避難できる。よって、避難者が安全に避難できる。
【００２４】
〔第２実施形態〕
図３は、本発明の第２実施形態に係る建物１Ａの（ｎ＋２）階の部分平面図である。
本実施形態では、階段室２０Ａにシャフトが設けられていない点、および、一対の段差調整部４３Ａの位置が、第１実施形態と異なる。
すなわち、耐火壁２２、２４のフロア１３の高さ位置には、防火扉２９Ａが設けられている。一対の段差調整部４３Ａは、階段室２０Ａの長手方向両端側に配置され、階段室２０Ａの短手方向つまり図３中上下方向に延びている。
【００２５】
各段差調整部４３Ａは、防火扉２９Ａから図３中上方に延びる床部６０と、この床部６０から図３中上方に延びる階段部６１と、階段部６１から図３中上方に延びて踊場Ｓ４に至る床部６２と、を備える。
床部６０は、フロア１３に面一で略水平であり、これにより、防火扉２９Ａは、床部６０上で開閉可能となっている。
【００２６】
本実施形態によれば、上述の（１）、（２）と同様の効果がある。
【００２７】
〔第３実施形態〕
図４は、本発明の第３実施形態に係る建物１Ｂの（ｎ＋２）階の階段室の一部破断平面図である。
本実施形態では、階段室２０Ｂにシャフトが設けられていない点、階段室２０Ｂの位置、および、段差調整部４３Ｂの位置が、第１実施形態と異なる。
すなわち、階段室２０Ｂは、屋外に設けられており、外壁２よりも外側に突出している。この階段室２０Ｂは、手すり２１Ｂ、２２Ｂ、２４Ｂと、耐火壁２３とで囲まれている。
【００２８】
また、耐火壁２３のフロア１３の高さ位置には、一対の防火扉２９Ｂが設けられている。一対の段差調整部４３Ｂは、階段室２０Ｂの長手方向両端側に配置され、階段室２０Ｂの長手方向つまり図４中水平方向に延びている。
【００２９】
各段差調整部４３Ｂは、防火扉２９Ｂから図４中水平方向に延びる床部７０と、この床部７０から図４中水平方向に延びて踊場Ｓ４に至る階段部７１と、を備える。
床部７０は、フロア１３に面一で略水平であり、これにより、防火扉２９Ｂは、床部７０上で開閉可能となっている。
【００３０】
本実施形態によれば、上述の（１）、（２）と同様の効果がある。
【００３１】
なお、本発明は前記実施形態に限定されるものではなく、本発明の目的を達成できる範囲での変形、改良等は本発明に含まれるものである。
【符号の説明】
【００３２】
１                        建物（構造物）
２                        外壁
１１〜１５                フロア
２０、２０Ａ、２０Ｂ      階段室
２１〜２７                耐火壁
２１Ｂ、２２Ｂ、２４Ｂ    手すり
２８                      シャフト
２９、２９Ａ、２９Ｂ      防火扉
３０                      Ｘ階段
３１Ａ                    折り返し階段
３１Ｂ                    折り返し階段
４１〜４４、４３Ａ、４３Ｂ      段差調整部
５０、６０、６２、７１    床部
５１、６１、７０          階段部
Ｓ                        踊場
【図１】
2011084955.tif 000003
【図２】
2011084955.tif 000004
【図３】
2011084955.tif 000005
【図４】
2011084955.tif 000006
【図５】
2011084955.tif 000007